(57)【特許請求の範囲】
【請求項１】
ランプハウジングと、前記ランプハウジングの前面側開口部を覆う位置に配置されたレンズと、前記レンズの背面位置に配置された光源と、を備えた車両用ランプにおいて、
前記レンズは、少なくとも光源側のレンズ面に、曲率半径と凹凸曲面の組み合わせに不規則性を持ちながら滑らかな繋いだ波状曲面を有する波状曲面レンズであることを特徴とする車両用ランプ。
【請求項２】
請求項１に記載された車両用ランプにおいて、
前記レンズは、曲率半径と凹凸曲面の組み合わせに不規則性を持ちながら滑らかな繋いだ波状曲面を、投光側のレンズ面と光源側のレンズ面の両面にそれぞれ有する両側波状曲面レンズであることを特徴とする車両用ランプ。
【請求項３】
請求項１または請求項２に記載された車両用ランプにおいて、
前記ランプハウジングは、車両前面の両隅位置に設定され、ヘッドランプと共に種類が異なる複数のランプを一体化するフロントコンビネーションランプハウジングであり、
前記両側波状曲面レンズと前記光源によるランプを、前記フロントコンビネーションランプハウジング内にポジションランプとして設定したことを特徴とする車両用ランプ。
【請求項４】
請求項３に記載された車両用ランプにおいて、
前記ヘッドランプは、前記フロントコンビネーションランプハウジングの開口領域の中央部位置に設定され、凸レンズを使って配光するプロジェクタヘッドランプであり、
前記ポジションランプは、前記プロジェクタヘッドランプの車両内側位置に設定した第１ポジションランプと、前記プロジェクタヘッドランプを挟んで車両外側位置に設定した第２ポジションランプにより構成したことを特徴とする車両用ランプ。
【請求項５】
請求項４に記載された車両用ランプにおいて、
前記第１ポジションランプは、第１両側波状曲面レンズと第１光源を有し、
前記第２ポジションランプは、第２両側波状曲面レンズと、前記第２両側波状曲面レンズの車両内側領域に対応する背面位置に配置した第２光源を有し、
前記第２両側波状曲面レンズを共用し、前記第２両側波状曲面レンズの車両外側領域に対応する背面位置に第３光源を配置することにより、前記第２ポジションランプの車両外側位置にフロントターンシグナルランプを並列設定したことを特徴とする車両用ランプ。
【請求項６】
請求項５に記載された車両用ランプにおいて、
前記第１光源は、複数の白色ＬＥＤを第１光源基板に設定した光源であり、
前記第２光源は、複数の白色ＬＥＤを第２光源基板の車両内側領域に設定した光源であり、
前記第３光源は、複数のオレンジ色ＬＥＤを第２光源基板の車両外側領域に設定した光源であることを特徴とする車両用ランプ。
【請求項７】
請求項１に記載された車両用ランプにおいて、
前記レンズは、曲率半径と凹凸曲面の組み合わせに不規則性を持ちながら滑らかな繋いだ波状曲面を、光源側のレンズ面にのみ有する片側波状曲面レンズであることを特徴とする車両用ランプ。
【請求項８】
請求項７に記載された車両用ランプにおいて、
前記ランプハウジングは、車両後面の両隅位置に設定され、種類が異なる複数のランプを一体化するリアコンビネーションランプハウジングであり、
前記片側波状曲面レンズと前記光源によるランプを、前記リアコンビネーションランプハウジング内にテールランプとして設定したことを特徴とする車両用ランプ。
【発明の詳細な説明】
【技術分野】
【０００１】
本発明は、車両の外装ランプ等として適用され、ランプハウジングとレンズと光源を備えた車両用ランプに関する。
【背景技術】
【０００２】
従来、テールランプとストップランプを隣接して配設した車両用ランプにおいて、前面レンズの内面に、規則性を持って配列した同形状の凸レンズを複数形成し、隣接する凸レンズの境界を、２つの凸レンズ面が交差する溝形状としたものが知られている（例えば、特許文献１参照）。
【０００３】
また、多数の発光ダイオードを光源として使用する車両用ランプにおいて、前面レンズの内面に、複数のプリズム要素が互いに段差を持って組み合わされたプリズム単位を、規則性を持って複数配列したものが知られている（例えば、特許文献２参照）。
【特許文献１】実開平５−３１００３号公報
【特許文献２】特開平２−４４６０３号公報
【発明の開示】
【発明が解決しようとする課題】
【０００４】
しかしながら、従来の車両用ランプにあっては、いずれも溝や段差により切り分けられる規則性のあるレンズ要素の集合体により前面レンズが構成されているため、外部からレンズを全体的に見たとき、レンズに対して相対的な位置変化をしても、人の目に入ってくる光の形状や位置が殆ど変化せず、見え方として単調となり、車両用外装ランプ等に要求される外部からの高い視認性を期待できない、という問題があった。
【０００５】
本発明は、上記問題に着目してなされたもので、光源の点灯状態で外部からレンズを全体的に見たとき、レンズに対する相対的な位置変化により、人の目を引くように変化する見え方となり、視認性の向上を期待することができる車両用ランプを提供することを目的とする。
【課題を解決するための手段】
【０００６】
上記目的を達成するため、本発明の車両用ランプでは、ランプハウジングと、前記ランプハウジングの前面側開口部を覆う位置に配置されたレンズと、前記レンズの背面位置に配置された光源と、を備えている。
この車両用ランプにおいて、前記レンズとして、少なくとも光源側のレンズ面に、曲率半径と凹凸曲面の組み合わせに不規則性を持ちながら滑らかな繋いだ波状曲面を有する波状曲面レンズを用いた。
【発明の効果】
【０００７】
よって、本発明の車両用ランプにあっては、光源の点灯状態で、外部から波状曲面レンズを全体的に見たとき、波状曲面レンズに対する相対的な位置変化により、例えば、小さな波が立っている水面に光が反射するときのように、輝く光の形状や位置が複雑に変化して見える。
すなわち、波状曲面レンズの波状曲面は、曲率半径と凹凸曲面の組み合わせに不規則性を持つ。このため、例えば、車内または路上に止まっている人から路上に止まっている車両のランプを見るとき、レンズを通して見える輝く光の形状は、見る位置が少し違うだけでも異なった形状となる。
そして、波状曲面レンズの波状曲面は、滑らかな繋がる曲面である。このため、例えば、車内または路上の人と車両の少なくとも一方が動き、相対的な位置変化がある状態で、車両のランプを見るとき、レンズを通して見える輝く光の形状は、繋がり感を持ちながら変化し、急に形が変わったり、途切れたりすることがない。
さらに、波状曲面レンズに対する相対的な位置変化がゆっくりである場合は、例えば、炎のようなメラメラ感を持ちながら、レンズを通して見える輝く光の形状が変化する。そして、相対的な位置変化の速度が高くなるほど、例えば、水面に反射する光のようなキラキラ感を持ちながら、レンズを通して見える輝く光の形状が変化する。
この結果、光源の点灯状態で外部からレンズを全体的に見たとき、レンズに対する相対的な位置変化により、人の目を引くように変化する見え方となり、視認性の向上を期待することができる。
【発明を実施するための最良の形態】
【０００８】
以下、本発明の車両用ランプを実現する最良の形態を、図面に示す実施例１及び実施例２に基づいて説明する。
【実施例１】
【０００９】
まず、構成を説明する。
図１は実施例１の車両用ランプをポジションランプとして適用したフロントコンビネーションランプを示す正面図である。図２は実施例１の車両用ランプをポジションランプとして適用したフロントコンビネーションランプを示す図１のＡ−Ａ線断面図である。図３は実施例１の車両用ランプをポジションランプとして適用したフロントコンビネーションランプを示す分解斜視図である。
【００１０】
前記フロントコンビネーションランプＦは、図１に示すように、フロントコンビネーションランプハウジング１（ランプハウジング）と、プロジェクタヘッドランプ２（ヘッドランプ）と、第１ポジションランプ３（ポジションランプ）と、第２ポジションランプ４（ポジションランプ）と、フロントターンシグナルランプ９と、を備えている。
【００１１】
前記フロントコンビネーションランプハウジング１は、車両前面の両隅位置に設定され、プロジェクタヘッドランプ２と共に種類が異なる複数のランプを一体化するハウジングである。このフロントコンビネーションランプハウジング１の前面側開口部の形状は、各辺が交わる部分に丸みを持たせ、車両の両隅の曲面形状に合わせた三角曲面開口部形状としている。そして、フロントコンビネーションランプハウジング１の内面は、光を反射する鏡面仕上げとしている。
【００１２】
前記プロジェクタヘッドランプ２は、前記フロントコンビネーションランプハウジング１の開口領域の中央部位置に設定され、凸レンズを使って配光する。実施例１では、円筒状のヘッドランプボディ５内に４つのプロジェクタヘッドランプ２を収容し、凸レンズを使って、ハイビームとロービームを切り換えて配光する４灯式としている。
【００１３】
前記第１ポジションランプ３は、前記プロジェクタヘッドランプ２の車両内側位置に設定している。前記第２ポジションランプ４は、前記プロジェクタヘッドランプ２を挟んで車両外側位置に設定している。なお、第２ポジションランプ４の車両外側部分は、必要時にフロントターンシグナルランプ９として用いられる。
【００１４】
すなわち、フロントコンビネーションランプＦの全体としては、人間の目をモチーフにしたデザインであり、フロントコンビネーションランプハウジング１が開いた上下瞼に相当し、プロジェクタヘッドランプ２が中央部に輝く瞳に相当し、両側の第１ポジションランプ３と第２ポジションランプ４が瞳を取り囲む白目に相当する。
【００１５】
実施例１では、図２及び図３に示すように、前記フロントコンビネーションランプハウジング１内にポジションランプとして設定した第１ポジションランプ３と第２ポジションランプ４に対して、第１両側波状曲面レンズ６（波状曲面レンズ）と第２両側波状曲面レンズ７（波状曲面レンズ）をそれぞれ備えた本発明の車両用ランプを適用している。
【００１６】
前記第１ポジションランプ４は、図３に示すように、フロントコンビネーションランプハウジング１と、第１両側波状曲面レンズ６と、アウターレンズ８と、第１光源１１（光源）と、第１光源基板２１と、第１光源ガイド枠３１と、を備えている。
【００１７】
前記第１両側波状曲面レンズ６は、図３に示すように、フロントコンビネーションランプハウジング１の前面側開口部の車両内側一部を覆う位置に配置される。この第１両側波状曲面レンズ６の投光側のレンズ面は、ハウジング前端面位置から少し背面方向にオフセットした位置に配置される。
【００１８】
前記アウターレンズ８は、図２及び図３に示すように、前記フロントコンビネーションランプハウジング１の前端面位置に係合配置される。すなわち、フロントコンビネーションランプハウジング１の前端面の全ての開口領域が、アウターレンズ８により覆われる。つまり、第１両側波状曲面レンズ６と第２両側波状曲面レンズ７は、このアウターレンズ８に対しインナーレンズとして設定される。
【００１９】
前記第１光源１１は、例えば、等間隔にて複数設定した白色ＬＥＤにより構成され、図３に示すように、前記第１両側波状曲面レンズ６の背面位置に配置された第１光源基板２１上に設定される。そして、第１光源１１を有する第１光源基板２１は、第１光源ガイド枠３１と共に、フロントコンビネーションランプハウジング１の後端面にネジ止め等により固定される（図２参照）。なお、第１光源ガイド枠３１には、第１光源１１からの光束をコントロールする拡散フィルム等を設けても良い。
【００２０】
前記第２ポジションランプ４は、図２及び図３に示すように、フロントコンビネーションランプハウジング１と、第２両側波状曲面レンズ７と、アウターレンズ８と、第２光源１２（光源）と、第３光源１３（光源）と、第２光源基板２２と、第２光源ガイド枠３２と、を備えている。
【００２１】
前記第２両側波状曲面レンズ７は、図３に示すように、フロントコンビネーションランプハウジング１の前面側開口部の車両外側一部を覆う位置に配置される。この第２両側波状曲面レンズ７の投光側のレンズ面は、第１両側波状曲面レンズ６と同様に、ハウジング前端面位置から少し背面方向にオフセットした位置に配置される。
【００２２】
前記第２光源１２は、例えば、図２に示すように、等間隔にて複数設定した白色ＬＥＤにより構成される。そして、第２光源１２は、図３に示すように、前記第２両側波状曲面レンズ７の背面位置に配置された第２光源基板２２上のうち、第２両側波状曲面レンズ７の車両内側領域に対応する位置に配置される。
【００２３】
前記第３光源１３は、例えば、等間隔にて複数設定したオレンジ色ＬＥＤにより構成される。そして、第３光源１３は、図３に示すように、前記第２両側波状曲面レンズ７の背面位置に配置された第２光源基板２２上のうち、第２両側波状曲面レンズ７の車両外側領域に対応する位置に配置される。
【００２４】
すなわち、第２ポジションランプ４とフロントターンシグナルランプ９は、第２両側波状曲面レンズ７を共用し、第２両側波状曲面レンズ７の車両外側領域に対応する背面位置に第３光源１３を配置することにより、図１に示すように、第２ポジションランプ４の車両外側位置にフロントターンシグナルランプ９を並列設定している。
【００２５】
そして、第２光源１２と第３光源１３を有する第２光源基板２２は、図２に示すように、第２光源ガイド枠３２と共に、車体パネル１０に固定支持されたフロントコンビネーションランプハウジング１の後端面にネジ止め等により固定される。なお、第２光源ガイド枠３２には、第２光源１２と第３光源１３からの光束をコントロールする拡散フィルム等を設けても良い。
【００２６】
前記第１両側波状曲面レンズ６と第２両側波状曲面レンズ７は、透明プラスチック等を素材とし、視認性の高いレンズ面形状を有して形成したものである。
第１両側波状曲面レンズ６は、例えば、図３に示すように、曲率半径と凹凸曲面の組み合わせに不規則性を持ちながら滑らかな繋いだ波状曲面６ａ，６ｂを、投光側のレンズ面と光源側のレンズ面の両面にそれぞれ有する。
第２両側波状曲面レンズ７は、例えば、図２及び図３に示すように、曲率半径と凹凸曲面の組み合わせに不規則性を持ちながら滑らかな繋いだ波状曲面７ａ，７ｂを、投光側のレンズ面と光源側のレンズ面の両面にそれぞれ有する。
ここで、「不規則性」とは、曲率半径に下限値と上限値を持たせ、下限値と上限値の範囲内でランダムに選択した曲率半径を有する凸曲面や凹曲面を、設定位置を特定することなく自由に組み合わせることをいう。なお、曲率半径に下限値と上限値を持たせるのは、曲率半径が小さ過ぎると、離れた位置から見た場合に輝点集合により変化すべき形状を認識できないし、曲率半径が大き過ぎると、離れた位置から見た場合に輝く光の形状がほとんど変化しないというように、光の形状変化を演出できないことによる。
【００２７】
すなわち、波状曲面形状とは、外部から第１両側波状曲面レンズ６と第２両側波状曲面レンズ７を全体的に見たとき、第１両側波状曲面レンズ６と第２両側波状曲面レンズ７に対する相対的な位置変化により、波が立っている水面に光が反射するときのように、輝く光の形状や位置が複雑に変化して見えるレンズ面形状のことをいう。
【００２８】
次に、車両用外装ランプの技術背景を説明する。
ＨＩＤヘッドランプ（ＨＩＤは「High Intensity Discharge」の略称）は、別名キセノンヘッドライト、ディスチャージヘッド等とも呼ばれる。このＨＩＤヘッドランプの仕組みは、発光管（バルブ）の中にキセノンガスを封入し、そこで放電現象を発生させる。ハロゲンバルブのヘッドランプに比べ２倍〜３倍の明るさを持ち、消費電力は少なくなるという特徴を持ち、最近の車両のヘッドランプに多く採用されている。
【００２９】
ＬＥＤヘッドランプ（ＬＥＤは「Light Emitting Diode」の略称）は、高出力白色ＬＥＤとＬＥＤからの光を効率的に利用する光学制御システムをベースに実現化されたものである。このＬＥＤヘッドランプは、従来のヘッドランプとは異なり、３連小型プロジェクタと小型反射鏡から得られる光の合成による配光パターンを作り出してドライバーの視認性向上を図ったものである。点灯速度が速く瞬時に視界を確保でき、長寿命で光量の低下や色度変化がほとんどないという特性を備え、実車への採用が開始されている。
【００３０】
これらのＨＩＤヘッドランプやＬＥＤヘッドランプは、光源の種類が異なるものの、いずれも凸レンズを使って配光するプロジェクタ構造によるプロジェクタヘッドランプとしている。このプロジェクタヘッドランプは、凸レンズを使うことで反射鏡の大きさを抑えられる特性を持つため、ヘッドランプの小型化を可能にする。その点で、エクステリアデザインを設計する上での自由度が拡大する他、点灯していないときも凸レンズの輝きが印象的であるため、フロントマスクの精悍さなどを演出する上でのワンポイントとすることができる。
【００３１】
そして、プロジェクタヘッドランプの特長である小型コンパクト性を活用し、ヘッドランプの周りの部分に、ポジションランプ（別名、車幅灯やクリアランスランプとも呼ばれる。）やフロントターンシグナルランプ等を一体化させたフロントコンビネーションランプが、実車に採用されるに至っている。
【００３２】
本発明者は、フロントコンビネーションランプの場合、プロジェクタヘッドランプに比べてポジションランプ等の視認性が劣る点、ヘッドランプの周りを一体感のある領域にした方がエクステリアデザイン上においてより有用である点に着目した。
【００３３】
この着目点にしたがって、ランプレンズとして、曲率半径と凹凸曲面の組み合わせに不規則性を持ちながら滑らかな繋いだ波状曲面をレンズ面とする波状曲面レンズを採用し、光源の点灯状態あるいは点滅状態で外部からレンズを全体的に見たとき、レンズに対する相対的な位置変化により、人の目を引くように変化する見え方となり、視認性の向上を期待することができるようにした。
【００３４】
次に、作用を説明する。
以下、実施例１の車両用ランプをポジションランプとして適用したフロントコンビネーションランプＦにおける作用を、「非点灯時」、「ポジションランプ点灯時」、「昼間のターン時」、「夜間のターン時」に分けて説明する。
【００３５】
［非点灯時］
図４は非点灯時におけるフロントコンビネーションランプＦに対する外部からの視認作用説明図である。
【００３６】
昼間の直進走行時や停止時等で、ランプ系への点灯操作やランプ系への点灯制御を行わないとき、第１光源１１と第２光源１２と第３光源１３がいずれもが非点灯状態となる。この非点灯時におけるフロントコンビネーションランプＦに対する外部からの視認作用を説明する。
【００３７】
まず、フロントコンビネーションランプＦのプロジェクタヘッドランプ２は、図４に示すように、外来光による凸レンズのレンズ表面に反射する鋭い輝きが印象的である。加えて、フロントコンビネーションランプＦの第１ポジションランプ３と第２ポジションランプ４は、図４に示すように、外来光により第１両側波状曲面レンズ６の波状曲面６ａと第２両側波状曲面レンズ７の波状曲面７ａに反射する光の輝きが、複雑に形状を変化させながらの輝きとなり、プロジェクタヘッドランプ２とは異なった穏やかな印象による見え方をする。
【００３８】
このため、非点灯時、フロントコンビネーションランプＦは、プロジェクタヘッドランプ２の外来光による鋭い輝きと、第１ポジションランプ３と第２ポジションランプ４の波状曲面６ａ，７ａに対する外来光により形状を変化させながの弱い光の輝きが相俟って、車両のフロントマスクの精悍さと優雅さを併せて演出する。
【００３９】
［ポジションランプ点灯時］
図５はポジションランプ点灯時におけるフロントコンビネーションランプＦに対する外部からの視認作用説明図である。
【００４０】
ライトスイッチへの手動操作時やオートライト機能による点灯判定がオン時には、第１光源１１と第２光源１２が共に点灯される。このポジションランプ点灯時におけるフロントコンビネーションランプＦに対する外部からの視認作用を説明する。
【００４１】
まず、フロントコンビネーションランプＦのプロジェクタヘッドランプ２は、非点灯状態であるため、図５に示すように、第１ポジションランプ３と第２ポジションランプ４の光の中に沈み込み、凸レンズの輝きも目立たない。
【００４２】
一方、フロントコンビネーションランプＦの第１ポジションランプ３と第２ポジションランプ４は、点灯状態であるため、図５に示すように、外部から第１両側波状曲面レンズ６と第２両側波状曲面レンズ７を全体的に見たとき、両波状曲面レンズ６，７に対する相対的な位置変化により、例えば、小さな波が立っている水面に光が反射するときのように、白く輝く光の形状や位置が複雑に変化して見える。
【００４３】
すなわち、第１両側波状曲面レンズ６の波状曲面６ａ，６ｂと、第２両側波状曲面レンズ７の波状曲面７ａ，７ｂは、曲率半径と凹凸曲面の組み合わせに不規則性を持つ。このため、例えば、車内または路上に止まっている人から路上に止まっている車両のランプを見るとき、第１両側波状曲面レンズ６と第２両側波状曲面レンズ７を通して見える両光源１１，１２の白く輝く光の形状は、見る位置が少し違うだけでも異なった形状となる。
【００４４】
そして、第１両側波状曲面レンズ６の波状曲面６ａ，６ｂと、第２両側波状曲面レンズ７の波状曲面７ａ，７ｂは、滑らかな繋がる曲面である。このため、例えば、車内または路上の人と車両の少なくとも一方が動き、相対的な位置変化がある状態で、フロントコンビネーションランプＦを見るとき、第１両側波状曲面レンズ６と第２両側波状曲面レンズ７を通して見える白く輝く光の形状は、繋がり感を持ちながら変化し、急に形が変わったり、途切れたりすることがない。
【００４５】
さらに、第１両側波状曲面レンズ６と第２両側波状曲面レンズ７に対する相対的な位置変化が非常にゆっくりである場合は、例えば、炎のようなメラメラ感を持ちながら、第１両側波状曲面レンズ６と第２両側波状曲面レンズ７を通して見える白く輝く光の形状が変化する。そして、相対的な位置変化の速度が高くなるほど、例えば、水面に反射する光のようなキラキラ感を持ちながら、第１両側波状曲面レンズ６と第２両側波状曲面レンズ７を通して見える白く輝く光の形状が変化する。
【００４６】
このため、ポジションランプ点灯時におけるフロントコンビネーションランプＦを全体的に見たとき、第１両側波状曲面レンズ６と第２両側波状曲面レンズ７に対する相対的な位置変化により、上記のように、人の目を引くように変化する見え方となり、第１ポジションランプ３と第２ポジションランプ４の視認性が向上する。
【００４７】
［昼間のターン時］
図６は昼間のターン時におけるフロントコンビネーションランプＦに対する外部からの視認作用説明図である。
【００４８】
昼間の旋回走行時や車線変更時等であって、ターンシグナルスイッチを右あるいは左に操作したときには、第３光源１３のみが点滅する。この昼間のターン時におけるフロントコンビネーションランプＦに対する外部からの視認作用を説明する。
【００４９】
フロントコンビネーションランプＦのプロジェクタヘッドランプ２と、第１ポジションランプ３及び第２ポジションランプ４は、図６に示すように、消灯状態であるため、非点灯時におけるフロントコンビネーションランプＦに対する外部からの視認作用にて説明したように、車両のフロントマスクの精悍さと優雅さを併せて演出する存在となる。
【００５０】
しかし、ターンシグナルスイッチ操作に基づき、第３光源１３のみが点滅すると、第２両側波状曲面レンズ７に対する相対的な位置変化により、第２両側波状曲面レンズ７の車両外側領域に設定したフロントターンシグナルランプ９において、例えば、波が立っている水面に夕日が反射するときのように、オレンジ色に輝く光の形状や位置が複雑に変化しながら、点滅状態にて見える。しかも、フロントターンシグナルランプ９の領域はオレンジ光の輝度が高く、第２ポジションランプ４とフロントターンシグナルランプ９の境界部分では、車両内側に移行するにしたがってオレンジ光の輝度が、滑らかに連続して低くなっていき、一色の光の輝度が滑らかに連続して変化してゆくというグラデーションによる光の演出作用を示す。
【００５１】
このため、昼間のターン時にフロントコンビネーションランプＦを全体的に見たとき、第２両側波状曲面レンズ７のフロントターンシグナルランプ９に対する相対的な位置変化により、上記のように、単調なオン／オフ点滅とは異なり、光の形状変化やグラデーションにより人の目を引くオレンジ光の点滅となり、外部の人や他の車両からのフロントターンシグナルランプ９の点滅視認性が向上する。
【００５２】
［夜間のターン時］
図７は夜間のターン時におけるフロントコンビネーションランプＦに対する外部からの視認作用説明図である。
【００５３】
夜間の旋回走行時や車線変更時等であって、ターンシグナルスイッチを右あるいは左に操作したときには、プロジェクタヘッドランプ２の光源（ＨＩＤ光源やＬＥＤ光源等）と第１光源１１と第２光源１２が点灯している状態で、第３光源１３が点滅する。この夜間のターン時におけるフロントコンビネーションランプＦに対する外部からの視認作用を説明する。
【００５４】
フロントコンビネーションランプＦのプロジェクタヘッドランプ２の点灯状態では、ハイビームまたはロービームによる強い光によるビーム光束を車両前方に向けて投光している。同時に、第１ポジションランプ３及び第２ポジションランプ４は、図７に示すように、点灯状態であるため、ポジションランプ点灯時におけるフロントコンビネーションランプＦに対する外部からの視認作用にて説明したように、人の目を引くように白く輝く光が変化する見え方となり、第１ポジションランプ３と第２ポジションランプ４の視認性を高めている。
【００５５】
加えて、ターンシグナルスイッチ操作に基づき、第３光源１３が点滅すると、第２両側波状曲面レンズ７に対する相対的な位置変化により、第２両側波状曲面レンズ７の車両外側領域に設定したフロントターンシグナルランプ９において、例えば、波が立っている水面に夕日が反射するときのように、オレンジ色に輝く光の形状や位置が複雑に変化しながら、点滅状態にて見える。しかも、フロントターンシグナルランプ９の領域は白色光の輝度に比べてオレンジ光の輝度が高く、第２ポジションランプ４とフロントターンシグナルランプ９の境界部分では、車両内側に移行するにしたがってオレンジ光の輝度が低くなっていくのに対し白色光の輝度が高くなっていき、二色の光が滑らかに連続して変化してゆくというグラデーションによる光の演出作用を示す。
【００５６】
このため、夜間のターン時にフロントコンビネーションランプＦを全体的に見たとき、第１ポジションランプ３と第２ポジションランプ４が白く輝きながら光が変化している中から、プロジェクタヘッドランプ２からのビーム光束が投光している見え方で、外部からの視認性が高い夜間照明となる。この状態でのフロントターンシグナルランプ９によるオレンジ光の点滅は、光の形状変化やグラデーションにより人の目を引く点滅となり、夜間照明状態でありながらも、外部の人や他の車両からのフロントターンシグナルランプ９の点滅視認性が向上する。
【００５７】
次に、効果を説明する。
実施例１の車両用ランプにあっては、下記に列挙する効果を得ることができる。
【００５８】
(1) ランプハウジングと、前記ランプハウジングの前面側開口部を覆う位置に配置されたレンズと、前記レンズの背面位置に配置された光源と、を備えた車両用ランプにおいて、前記レンズは、少なくとも光源側のレンズ面に、曲率半径と凹凸曲面の組み合わせに不規則性を持ちながら滑らかな繋いだ波状曲面を有する波状曲面レンズ（第１両側波状曲面レンズ６，第２両側波状曲面レンズ７）であるため、光源の点灯状態で外部からレンズを全体的に見たとき、レンズに対する相対的な位置変化により、人の目を引くように変化する見え方となり、視認性の向上を期待することができる。
【００５９】
(2) 前記レンズは、曲率半径と凹凸曲面の組み合わせに不規則性を持ちながら滑らかな繋いだ波状曲面６ａ，６ｂを、投光側のレンズ面と光源側のレンズ面の両面にそれぞれ有する第１両側波状曲面レンズ６と、曲率半径と凹凸曲面の組み合わせに不規則性を持ちながら滑らかな繋いだ波状曲面７ａ，７ｂを、投光側のレンズ面と光源側のレンズ面の両面にそれぞれ有する第２両側波状曲面レンズ７であるため、同じ見え方とする場合に片方の光源側のレンズ面のみに波状曲面を有する場合に比べ、第１両側波状曲面レンズ６と第２両側波状曲面レンズ７のレンズ厚さを薄くすることができ、空間の狭いランプハウジングの場合でも適用し易くなる。
【００６０】
(3) 前記ランプハウジングは、車両前面の両隅位置に設定され、ヘッドランプと共に種類が異なる複数のランプを一体化するフロントコンビネーションランプハウジング１であり、前記両側波状曲面レンズ６，７と前記光源によるランプを、前記フロントコンビネーションランプハウジング１内にポジションランプとして設定したため、法規を満たしつつ、ヘッドランプとポジションランプを一体に有する実車両のフロントコンビネーションランプＦに採用することができる。
【００６１】
(4) 前記ヘッドランプは、前記コンビネーションランプハウジング１の開口領域の中央部位置に設定され、凸レンズを使って配光するプロジェクタヘッドランプ２であり、前記ポジションランプは、前記プロジェクタヘッドランプ２の車両内側位置に設定した第１ポジションランプ３と、前記プロジェクタヘッドランプ２を挟んで車両外側位置に設定した第２ポジションランプ４により構成したため、小型コンパクトであるプロジェクタヘッドランプ２の周りを、第１ポジションランプ３と第２ポジションランプ４により一体感のある領域にし、エクステリアデザイン性と高い視認性を兼ね備えたフロントコンビネーションランプＦを提供することができる。
【００６２】
(5) 前記第１ポジションランプ３は、第１両側波状曲面レンズ６と第１光源１１を有し、前記第２ポジションランプ４は、第２両側波状曲面レンズ７と、前記第２両側波状曲面レンズ７の車両内側領域に対応する背面位置に配置した第２光源１２を有し、前記第２両側波状曲面レンズ７を共用し、前記第２両側波状曲面レンズ７の車両外側領域に対応する背面位置に第３光源１３を配置することにより、前記第２ポジションランプ４の車両外側位置にフロントターンシグナルランプ９を並列設定したため、ヘッドランプとポジションランプとターンシグナルランプという３種類の外装ランプを一体に有し、旋回や車線変更等によるターン時に光の形状変化やグラデーションにより人の目を引くフロントターンシグナルランプ９の点滅が得られるフロントコンビネーションランプＦを提供することができる。
【００６３】
(6) 前記第１光源１１は、複数の白色ＬＥＤを第１光源基板２１に設定した光源であり、前記第２光源１２は、複数の白色ＬＥＤを第２光源基板２２の車両内側領域に設定した光源であり、前記第３光源１３は、複数のオレンジ色ＬＥＤを第２光源基板２２の車両外側領域に設定した光源であるため、夜間のターン時にフロントコンビネーションランプＦを全体的に見たとき、第１ポジションランプ３と第２ポジションランプ４の白く輝く光が変化している夜間照明状態で、フロントターンシグナルランプ９によるオレンジ光の点滅が、形状変化やグラデーションを伴う点滅となり、外部の人や他の車両からの両ポジションランプ３，４の視認性を向上することができると共に、フロントターンシグナルランプ９の点滅視認性も向上することができる。
【実施例２】
【００６４】
実施例２は、本発明の車両用ランプをリアコンビネーションランプのテールランプとして適用した例である。
【００６５】
まず、構成を説明する。
図８は実施例２の車両用ランプをテールランプとして適用したリアコンビネーションランプを示す断面図である。
【００６６】
前記テールランプ４０は、図８に示すように、リアコンビネーションランプハウジング４１と、片側波状曲面レンズ４２と、光源４３と、光源基板４４と、光源ガイド枠４５と、を備えている。
【００６７】
前記リアコンビネーションランプハウジング４１は、車両後面の両隅位置に設定され、テールランプ４０と共に種類が異なる複数のランプ（例えば、ストップランプやリアターンシグナルランプ等）を一体化するハウジングである。
【００６８】
前記片側波状曲面レンズ４２は、赤色半透明プラスチック等を素材として形成され、図８に示すように、曲率半径と凹凸曲面の組み合わせに不規則性を持ちながら滑らかな繋いだ波状曲面４２ｂを、光源４３側のレンズ面にのみ有する。なお、投光側のレンズ面は、車体形状等に沿った緩やかな円弧面４２ａにより形成される。
【００６９】
前記光源４３は、例えば、等間隔にて複数設定した白色ＬＥＤにより構成され、図８に示すように、前記片側波状曲面レンズ４２の背面位置に配置された光源基板４４上に設定される。そして、光源４３を有する光源基板４４は、光源ガイド枠４５と共に、リアコンビネーションランプハウジング４１の後端面にネジ止め等により固定される。なお、光源ガイド枠４５には、光源４３からの光束をコントロールする拡散フィルム等を設けても良い。
【００７０】
次に、作用を説明する。
夜間走行時等であって、手動による点灯操作やオートライトシステムによる自動点灯指令の出力時には、光源４３が点滅する。この夜間走行時等におけるテールランプ４０に対する外部からの視認作用を説明する。
【００７１】
光源４３の点灯状態で外部から片側波状曲面レンズ４２を全体的に見たときには、片側波状曲面レンズ４２に対する相対的な位置変化により、例えば、小さな波が立っている水面に光が反射するときのように、赤く輝く光の形状や位置が複雑に変化して見える。
【００７２】
すなわち、片側波状曲面レンズ４２の波状曲面４２ｂは、曲率半径と凹凸曲面の組み合わせに不規則性を持つ。このため、例えば、車内または路上に止まっている人から路上に止まっている車両のランプを見るとき、片側波状曲面レンズ４２を通して見える光源４３の赤く輝く光の形状は、見る位置が少し違うだけでも異なった形状となる。
【００７３】
そして、片側波状曲面レンズ４２の波状曲面４２ｂは、滑らかな繋がる曲面である。このため、例えば、車内または路上の人と車両の少なくとも一方が動き、相対的な位置変化がある状態で、テールランプ４０を見るとき、片側波状曲面レンズ４２を通して見える赤く輝く光の形状は、繋がり感を持ちながら変化し、急に形が変わったり、途切れたりすることがない。
【００７４】
さらに、片側波状曲面レンズ４２に対する相対的な位置変化が非常にゆっくりである場合は、例えば、炎のようなメラメラ感を持ちながら、片側波状曲面レンズ４２を通して見える赤く輝く光の形状が変化する。そして、相対的な位置変化の速度が高くなるほど、例えば、水面に反射する光のようなキラキラ感を持ちながら、片側波状曲面レンズ４２を通して見える赤く輝く光の形状が変化する。
【００７５】
このため、夜間走行時等においてテールランプ４０を全体的に見たとき、片側波状曲面レンズ４２に対する相対的な位置変化により、上記のように、人の目を引くように変化する見え方となり、テールランプ４０の視認性、特に、後続車両から見た場合の視認性が向上する。
【００７６】
次に、効果を説明する。
実施例２の車両用ランプにあっては、実施例１の(1)の効果に加え、下記に列挙する効果を得ることができる。
【００７７】
(7) 前記レンズは、曲率半径と凹凸曲面の組み合わせに不規則性を持ちながら滑らかな繋いだ波状曲面４２ｂを、光源４３側のレンズ面にのみ有する片側波状曲面レンズ４２であるため、アウターレンズを用いない外装ランプとして、視認性の高い車両用ランプを提供することができる。
【００７８】
(8) 前記ランプハウジングは、車両後面の両隅位置に設定され、種類が異なる複数のランプを一体化するリアコンビネーションランプハウジング４１であり、前記片側波状曲面レンズ４２と前記光源４３によるランプを、前記リアコンビネーションランプハウジング４１内にテールランプ４０として設定したため、法規を満たしつつ、夜間走行時等において視認性の高いテールランプ４０を一体に有する実車両のリアコンビネーションランプに採用することができる。
【００７９】
(9) ランプハウジングと、前記ランプハウジングの前面側開口部を覆う位置に配置されたレンズと、前記レンズの背面位置に配置された光源と、を備えた車両用ランプにおいて、前記外部からレンズを全体的に見たとき、レンズに対する相対的な位置変化により、波が立っている水面に光が反射するときのように、輝く光の形状や位置が複雑に変化して見えるレンズ面形状を有するため、光源の点灯状態で外部からレンズを全体的に見たとき、レンズに対する相対的な位置変化により、人の目を引くように変化する見え方となり、視認性の向上を期待することができる。
【００８０】
以上、本発明の車両用ランプを実施例１及び実施例２に基づき説明してきたが、具体的な構成については、これらの実施例に限られるものではなく、特許請求の範囲の各請求項に係る発明の要旨を逸脱しない限り、設計の変更や追加等は許容される。
【００８１】
実施例１，２では、光源として複数個のＬＥＤ光源を用いた例を示したが、ＬＥＤ以外の発光体や発光管による光源を用いても良い。実施例１，２では、ランプハウジングとして他の種類のランプハウジングと共用するコンビネーションランプハウジングの例を示したが、１種類のランプに専用のランプハウジングを用いた例であっても良い。要するに、少なくとも光源側のレンズ面に、曲率半径と凹凸曲面の組み合わせに不規則性を持ちながら滑らかな繋いだ波状曲面を有する波状曲面レンズを備えた車両用ランプであれば、具体的構造は、実施例１，２に限られることはない。
【産業上の利用可能性】
【００８２】
実施例１ではフロントコンビネーションランプのポジションランプとして適用した例を示し、実施例２ではリアコンビネーションランプのテールランプとして適用した例を示した。しかし、本発明の車両用ランプは、ポジションランプやテールランプ以外の外装ランプや内装ランプとして適用することもできる。また、コンビネーションランプとしての適用ではなく、独立したランプとして適用することもできる。要するに、ランプハウジングとレンズと光源を備えた車両用ランプであれば適用できる。
【図面の簡単な説明】
【００８３】
【図１】実施例１の車両用ランプをポジションランプとして適用したフロントコンビネーションランプを示す正面図である。
【図２】実施例１の車両用ランプをポジションランプとして適用したフロントコンビネーションランプを示す図１のＡ−Ａ線断面図である。
【図３】実施例１の車両用ランプをポジションランプとして適用したフロントコンビネーションランプを示す分解斜視図である。
【図４】非点灯時におけるフロントコンビネーションランプＦに対する外部からの視認作用説明図である。
【図５】ポジションランプ点灯時におけるフロントコンビネーションランプＦに対する外部からの視認作用説明図である。
【図６】昼間のターン時におけるフロントコンビネーションランプＦに対する外部からの視認作用説明図である。
【図７】夜間のターン時におけるフロントコンビネーションランプＦに対する外部からの視認作用説明図である。
【図８】実施例２の車両用ランプをテールランプとして適用したリアコンビネーションランプを示す断面図である。
【符号の説明】
【００８４】
Ｆ  フロントコンビネーションランプ
１  フロントコンビネーションランプハウジング（ランプハウジング）
２  プロジェクタヘッドランプ（ヘッドランプ）
３  第１ポジションランプ（ポジションランプ）
４  第２ポジションランプ（ポジションランプ）
５  ヘッドランプボディ
６  第１両側波状曲面レンズ（波状曲面レンズ）
６ａ，６ｂ  波状曲面
７  第２両側波状曲面レンズ（波状曲面レンズ）
７ａ，７ｂ  波状曲面
８  アウターレンズ
９  フロントターンシグナルランプ
１０  車体パネル
１１  第１光源（光源）
１２  第２光源（光源）
１３  第３光源（光源）
２１  第１光源基板
２２  第２光源基板
３１  第１光源ガイド枠
３２  第２光源ガイド枠
４０  テールランプ
４１  リアコンビネーションランプハウジング
４２  片側波状曲面レンズ
４２ａ  円弧面
４２ｂ  波状曲面
４３  光源
４４  光源基板
４５  光源ガイド枠
【図１】
0005151316.tif 000002
【図２】
0005151316.tif 000003
【図３】
0005151316.tif 000004
【図４】
0005151316.tif 000005
【図５】
0005151316.tif 000006
【図６】
0005151316.tif 000007
【図７】
0005151316.tif 000008
【図８】
0005151316.tif 000009